(57)【要約】【課題】キャスター付台車にはストッパー機能が備わっていることから、安全性を高めるために二重に制動をかける場合がある。この場合、大掛かりにする必要性がない。【解決手段】棒状材を略Ｕ字型に折り曲げて、一端は車輪が入る長さ以上として他端より短くし、車輪を略Ｕ字型に嵌めることで車輪の滑動を抑止するキャスター付台車用制動器具である。Ｕ字型棒状材を１つの車輪の前後に重ねて装着するか、キャスター付台車の車輪の前方・後方に各１つのＵ字型棒状材を装着することで制動を確保することができる。そして、Ｕ字型棒状材に滑り止めとして、ゴムを装着してより制動力を高めることもできる。【選択図】図１
2014189131.tif 000002
【特許請求の範囲】
【請求項１】
棒状材を略Ｕ字型に折り曲げて、一端は車輪が入る長さ以上として他端より短くし、車輪を略Ｕ字型に嵌めることで車輪の滑動を抑止することを特徴とするキャスター付台車用制動器具。
【請求項２】
Ｕ字型棒状材に滑り止めとして、ゴムを装着することを特徴としている請求項１記載のキャスター付台車用制動器具。
【請求項３】
棒状材に突起部分および隆起部分を設けてストッパーを回転可動できる構造にすることを特徴とする請求項１記載のキャスター付台車用制動器具。
【発明の詳細な説明】
【技術分野】
【０００１】
本発明は、台車等に設けられたキャスターの車輪の転動を簡易な材料により抑止するキャスター付台車用簡易制動器具に関するものである。
【背景技術】
【０００２】
従来、台車等に設けられたキャスターの車輪の転動を制止して台車等を制動する制動器具として、非特許文献１がある。
【０００３】
この非特許文献１記載のように、キャスター付台車の車輪の転動を受け止める斜面を有するキャスター付台車用制動器具は、車輪が抵抗なく載り上がるために必要な薄さを有するフィルム状層が接地面側に貼設され、フィルム状層が斜面の最下端縁部から車輪方向にキャスター付台車用制動器具が設けられている設置面に沿って延伸している延伸部を有し、車輪が転動して延伸部の上面への載り上がりおよび上面からの離脱を自在としている。
【先行技術文献】
【非特許文献】
【０００４】
【非特許文献１】実用新案登録第３１３８６８８号
【発明の概要】
【発明が解決しようとする課題】
【０００５】
キャスター付台車の車輪にキャスター付台車用制動器具を設置するときに横からスライド的に滑らせながら装着させることに困難な場合がある。
【０００６】
持ち運ぶときに原則、キャスター付台車で運搬して人が持参しなければならないことに難点がある。
【０００７】
キャスター付台車にはストッパー機能が備わっていることから、安全性を高めるために二重に制動をかけるもので、このキャスター付台車用制動器具のような大掛かりにする必要性がない。
【０００８】
できれば、作業所に存在する簡易な材料を加工することで、出来上るようにすることが適当である、という問題があった。
【課題を解決するための手段】
【０００９】
請求項１に記載の棒状材を略Ｕ字型に折り曲げて、一端は車輪が入る長さ以上として他端より短くし、車輪を略Ｕ字型に嵌めることで車輪の滑動を抑止するキャスター付台車用制動器具である。
【００１０】
この発明によれば、棒状のＵ字型部分を２つ以上用意して、キャスター付台車の車輪の左右の幅に適合するように曲げを調整する。そして、Ｕ字型棒状材を１つの車輪の前後に重ねて装着するか、キャスター付台車の車輪の前方・後方に各１つのＵ字型棒状材を装着することで制動を確保することができる。
【００１１】
請求項２に記載のＵ字型棒状材に滑り止めとして、ゴムを装着することを特徴としている。
【００１２】
この発明によれば、ゴムを装着することにより設置面との摩擦力を増すことにより、制動力を高めることができる。
【００１３】
請求項３に記載の棒状材の突起形状を設けてストッパーが外れない構造にすることを特徴とする。
【００１４】
この発明によれば、Ｕ字型棒状材を車輪に装着後に、ストッパーを回動させることで車輪を止めるストッパーの役割を果たすことになる。
【発明の効果】
【００１５】
本発明によれば、キャスター付台車の車輪にキャスター付台車制動器具を横からスライド的に滑らせながら装着させることが容易にできる。
持ち運ぶときに、キャスター付台車の単管の頂部に棒状材のキャスター付台車制動器具を挿入して人が持ち運ぶことなく、キャスター付台車と一緒に運搬することができる。
さらに、棒状（例えば金属製）、金属製の円弧を棒状材の端部に溶接等で取り付けて、それを鎖などで他方のＵ字型棒状材の下部に接続することで一対にすることができる。
棒状にゴムを装着することで、設置面と摩擦力を高めることができ、より制動を確保できる。
また、車輪装着後の可動式ストッパーを付けることで、大掛かりでなく、簡易にストッパーを取り付けることができる。
【図面の簡単な説明】
【００１６】
【図１】本発明の一実施形態に係るキャスター付台車用制動器具の斜視図である。
【図２】前記実施形態に係るキャスター付台車用制動器具にストッパー付けた斜視図である。
【図３】前記実施形態に係るキャスター付台車用制動器具のストッパー部分の拡大図ある。
【図４】前記実施形態に係るキャスター付台車用制動器具の端部に係る拡大図である。
【発明を実施するための形態】
【００１７】
以下、本発明の一実施形態について、図面を参照しながら説明する。
図１は、本発明の一実施形態に係るＵ字型棒状材２が適用された斜視図である。
キャスター付台車用制動器具１は、棒状（例えば、鉄筋）を略Ｕ字型に折り曲げて、一端は車輪が入る長さ以上として他端より短くし、車輪を略Ｕ字型に嵌めることで車輪の滑動を抑止するキャスター付台車用制動器具である。
このＵ字型棒状材２は、例えば、金属製の鉄筋であり、Ｕ字型棒状材２に略丸状の鉄筋を滑り止めゴム３により包み込むように挿入して取り付ける。
これをキャスター付台車の一つの車輪の前後にキャスター付台車用制動器具１を逆さに重ねて装着するか、キャスター付台車の車輪の前方・後方に各一つのキャスター付台車用制動器具１を装着することで制動を確保することができる。
【００１８】
図２は、キャスター付台車用制動器具１にストッパー付けた斜視図である。
キャスター付台車の車輪の前方・後方に各一つのキャスター付台車用制動器具１を装着する。車輪にキャスター付台車用制動器具１を装着後、回転可動するストッパー４を閉じることで車輪を固定することができる。
【００１９】
図３は、キャスター付台車用制動器具１のストッパー部分の拡大図ある。
Ｕ字型棒状材２の上下方向の２箇所に複数の突起部分あるいは隆起部分を設けて、その２箇所に挟まれる形でストッパー４を輪内（リング内）にＵ字型棒状材２を通す形にすることでストッパー４は、回転可動が可能となる。
【００２０】
図４は、キャスター付台車用制動器具１の端部に係る拡大図である。
キャスター付台車用制動器具１に係るＵ字型棒状材２の長い側の端部に金属製の円弧を棒状の端部に溶接等で取り付けて、それを鎖などで他方のＵ字型棒状材２の下部に接続することで一対にすることができる。
【符号の説明】
【００２１】
１…キャスター付台車用制動器具
２…Ｕ字型棒状材
３…滑り止めゴム
４…ストッパー
５…ストッパー回転部分
６…Ｕ字型棒状の端部
７…突起部分および隆起部分
８…円弧
９…鎖
【図１】
2014189131.tif 000003
【図２】
2014189131.tif 000004
【図３】
2014189131.tif 000005
【図４】
2014189131.tif 000006